(57)【要約】【課題】マッサージ効果を与えない状態とすることもでき、また、所望の際にはマッサージ効果を与えることのできるマッサージ機能付き椅子を提供する。【解決手段】座部１と、背中を当接させる面状部材４を有する背もたれ部２と、面状部材４の後方において施療子１０を当該面状部材４との間で隙間ｇが形成されるように取り付けている支持部材３とを備えている。背もたれ部２にもたれた着座状態で、背もたれ部２の背枠部材５が後方へ倒れることにより、面状部材４が支持部材３の施療子１０に接近する。これにより前記隙間ｇが無くなって面状部材４と施療子１０とが接触している状態になる。【選択図】      図２
2006296960.tif 000002
【特許請求の範囲】
【請求項１】
座部と、上半身の背面側を当接させる面状部材を有する背もたれ部と、前記面状部材の後方において施療子を取り付けている支持部材と、を備え、前記面状部材を押圧することにより当該面状部材が前記支持部材に接近可能として設けられていることにより、上半身の背面が前記面状部材に当接した着座状態において、前記施療子が上半身の背面を押圧しない非マッサージ状態と、前記施療子が上半身の背面を押圧するマッサージ状態とに変化可能とされていることを特徴とするマッサージ機能付き椅子。
【請求項２】
座部と、上半身の背面側を当接させる面状部材を有する背もたれ部と、前記面状部材の後方において施療子を当該面状部材との間で隙間が形成されるように取り付けている支持部材と、を備え、前記面状部材と前記支持部材とが接近可能とされて設けられていることにより、前記隙間が維持される第一状態と、前記隙間が無くなって前記面状部材と前記施療子とが接触している第二状態とに変化可能とされていることを特徴とするマッサージ機能付き椅子。
【請求項３】
前記背もたれ部は前記面状部材を取り付けている背枠部材を有し、この背枠部材と前記支持部材とは相対的な位置変化が可能とされて設けられていることによって、前記面状部材が前記支持部材に接近可能とされている請求項１又は２に記載のマッサージ機能付き椅子。
【請求項４】
前記背枠部材と前記支持部材との相対的な位置変化を規制する拘束状態と相対的な位置変化を自由にさせる自由状態とを切り換える切換手段を備えている請求項３に記載のマッサージ機能付き椅子。
【請求項５】
前記面状部材が上半身の背面に押圧されることによって、前記背もたれ部が起立状態から後方へ倒れることを許容する第１後傾部と、前記支持部材が起立状態から後方へ倒れることを許容する第２後傾部とを備えている請求項１〜４のいずれか一項に記載のマッサージ機能付き椅子。
【請求項６】
前記背もたれ部と前記支持部材の少なくとも一方を起立状態に維持させるロック機構を備えている請求項５に記載のマッサージ機能付き椅子。
【請求項７】
前記第２後傾部は、後方へ倒れた状態にある前記支持部材を起立状態に復帰させる方向の弾性力を、当該支持部材に付与する弾性部材を有している請求項５又は６に記載のマッサージ機能付き椅子。
【請求項８】
前記施療子は、前記支持部材に位置変更可能とされて取り付けられている請求項１〜７のいずれか一項に記載のマッサージ機能付き椅子。
【請求項９】
前記施療子は前記支持部材において上端部を含む複数箇所に取り付けられており、上端部に設けられた前記施療子は前記支持部材に回動可能とされている請求項１〜８のいずれか一項に記載のマッサージ機能付き椅子。
【発明の詳細な説明】
【技術分野】
【０００１】
この発明は、着座する利用者に対してマッサージ効果を与えるための施療子を備えているマッサージ機能付き椅子に関する。
【背景技術】
【０００２】
従来、背もたれ部に玉形状やローラなどの施療子（押圧子）が設けられて、座部に着座した利用者がその背もたれ部にもたれることにより、施療子が利用者の背中に当接してマッサージ効果を与えることのできるマッサージ機能付きの椅子が知られている。このような椅子として知られているものに、例えば、特許文献１、特許文献２、及び、特許文献３のようなものがある。
特許文献１に記載されているものは、背もたれ部に被せることができる柔軟な包被体を有しており、この包被体に中空突部が設けられて、中空突部に金属や樹脂などによる球体が嵌め込まれている。このような球体を有する包被体が背もたれ部に被せられることによって、背もたれ部から施療子としての突部（球体）が突出した椅子となる。
特許文献２に記載されているものは、背もたれ部にローラが設けられており、背もたれ部からローラが突出した状態とされている。
特許文献３に記載されているものは、背もたれ部の表面側に押圧球が設けられており、背もたれ部の表面において、押圧球は他の平滑な部分よりも隆起するように設けられている。
【０００３】
【特許文献１】実開昭５７−２０４０号公報
【特許文献１】実開昭５８−１４７５２１号公報
【特許文献１】実開平１−１１９６３６号公報
【発明の開示】
【発明が解決しようとする課題】
【０００４】
特許文献１〜３に記載されている従来のマッサージ機能付きの椅子は、玉やローラなどの施療子が背もたれ部の表面から突出した状態とされており、利用者が背もたれ部にもたれることで背中に施療子を当接させ、マッサージ効果を与えることができる。しかし、マッサージ効果を期待しない通常の着座状態でこの椅子を使用したい場合であっても、利用者の背中には施療子が当接し、利用者に違和感を与えてしまうという問題点を有している。さらに、通常の着座状態でこの椅子に長時間座っていると、施療子が背中に当たったままの状態であるために、逆に不快感を与えてしまうおそれがある。つまり、従来のものは、マッサージを欲する際に座るものであり、マッサージ専用の椅子として構成されている。
また、玉やローラなどの施療子が、背もたれ部において露出して回転する構造である場合、髪の毛がこの施療子に巻き込まれる（引っ掛かる）おそれがある。
【０００５】
この発明は、前記問題点に鑑みてなされたものであり、マッサージ効果を与えない状態とすることもでき、また、所望の際にはマッサージ効果を与えることのできるマッサージ機能付き椅子を提供することを目的とする。
【課題を解決するための手段】
【０００６】
前記目的を達成するためのこの発明のマッサージ機能付き椅子は、座部と、上半身の背面側を当接させる面状部材を有する背もたれ部と、前記面状部材の後方において施療子を取り付けている支持部材とを備え、前記面状部材を押圧することにより当該面状部材が前記支持部材に接近可能として設けられていることにより、上半身の背面が前記面状部材に当接した着座状態において、前記施療子が上半身の背面を押圧しない非マッサージ状態と、前記施療子が上半身の背面を押圧するマッサージ状態とに変化可能とされていることを特徴としている。
このような構成によれば、施療子が上半身の背面を押圧しない非マッサージ状態では、上半身の背面が面状部材に当接した着座状態であっても、マッサージ効果を与えない。つまり、通常の背もたれ付きの椅子として機能する。そして、施療子が上半身の背面を押圧するマッサージ状態では、施療者に対してマッサージ効果を与えることができる。
【０００７】
または、この発明のマッサージ機能付き椅子は、座部と、上半身の背面側を当接させる面状部材を有する背もたれ部と、前記面状部材の後方において施療子を当該面状部材との間で隙間が形成されるように取り付けている支持部材とを備え、前記面状部材と前記支持部材とが接近可能とされて設けられていることにより、前記隙間が維持される第一状態と、前記隙間が無くなって前記面状部材と前記施療子とが接触している第二状態とに変化可能とされていることを特徴としている。
このような構成によれば、施療子と面状部材との間に隙間が維持されている第一状態では、施療子が上半身の背面側（例えば背中）を押圧しない。つまり、マッサージ効果を与えない通常の背もたれ付きの椅子として機能する。そして、面状部材と施療子とが接触している第二状態では、施療子が面状部材を介して背中を押圧することができ、施療者に対してマッサージ効果を与えることができる。
【０００８】
また、これらの椅子において、前記背もたれ部は前記面状部材を取り付けている背枠部材を有し、この背枠部材と前記支持部材とは相対的な位置変化が可能とされて設けられていることによって、前記面状部材が前記支持部材に接近可能とされているのが好ましい。
この構成によれば、背枠部材と支持部材とを相互が接近する方向に位置変化させることにより、背枠部材に取り付けられている面状部材と支持部材に取り付けられている施療子とが接触できる。これにより、施療子は面状部材を介して背中を押圧することができる。
なお、この施療子によりマッサージ効果を得るために、例えば面状部材を弾性変形可能な（伸縮可能な）材質として、面状部材にもたれて当該面状部材を弾性的に変形させて、面状部材と施療子との隙間を無くし、施療子によって背中を押圧させるようにしてもよいが、さらにこの構成のように、例えば背枠部材を支持部材に対して位置変化可能に設けて、背もたれ部にもたれることによって背枠部材を面状部材とともに支持部材側へ接近させれば、施療子によって背中をより強く押圧させることができる。
【０００９】
さらに、この場合において、前記背枠部材と前記支持部材との相対的な位置変化を規制する拘束状態と相対的な位置変化を自由にさせる自由状態とを切り換える切換手段を備えているのが好ましい。これによれば、前記自由状態として背枠部材と支持部材とを接近させれば、施療子によって背中を押圧させることができる。また、切換手段により拘束状態とすれば、背枠部材と支持部材とが接近する方向に移動するのを規制し、施療子が背中に当接するのを防ぐことができる。
【００１０】
また、前記面状部材が上半身の背面に押圧されることによって、前記背もたれ部が起立状態から後方へ倒れることを許容する第１後傾部と、前記支持部材が起立状態から後方へ倒れることを許容する第２後傾部とを備えているのが好ましい。
この構成によれば、背もたれ部にもたれて背もたれ部と支持部材とを共に後方へ倒れさせ、面状部材と施療子とが接触しているマッサージ状態にさせることで、利用者の上半身の体重を利用して施療子によって背中を押圧させることができる。
【００１１】
また、この場合において、前記背もたれ部と前記支持部材の少なくとも一方を起立状態に維持させるロック機構を備えているのが好ましい。これにより、背もたれ部、支持部材が後方へ大きく倒れた状態とならないようにすることができ、背もたれ部が起立状態にある通常の着座姿勢が得られる椅子とできる。
【００１２】
また、前記第２後傾部は、後方へ倒れた状態にある前記支持部材を起立状態に復帰させる方向の弾性力を、当該支持部材に付与する弾性部材を有しているのが好ましい。これにより、弾性部材によって支持部材を起立状態に復帰させることができる。つまり、利用者は背もたれ部にもたれて上半身が後方へ倒れた姿勢から、支持部材に押されて、上半身が起立状態となる通常の着座姿勢に楽に戻ることができる。
【００１３】
また、前記施療子は、前記支持部材に位置変更可能とされて取り付けられているのが好ましい。これによれば、施療子の位置を調整することにより、施療子を接触させたい背中の部位の変更が可能となり、また、身長差によるツボの位置の違いに対応させることができる。
【００１４】
また、前記施療子は前記支持部材において上端部を含む複数箇所に取り付けられており、上端部に設けられた前記施療子は前記支持部材に回動可能とされているのが好ましい。これによれば、上端部の施療子の角度を調整することにより、様々な身長の利用者に対して、当該施療子を首部から肩部に対応させることができる。
【発明の効果】
【００１５】
本発明のマッサージ機能付き椅子によれば、施療子が背中を押圧しない状態にすることができ、利用者は楽な着座姿勢をとることができる。つまり、通常の椅子として使用できる。そして、面状部材と施療子とが接触しているマッサージ状態とすれば、施療子によって背中を押圧させることができ、マッサージ効果が得られる。
【発明を実施するための最良の形態】
【００１６】
以下、この発明の実施の形態について図面を参照しながら説明する。
図１はこの発明に係るマッサージ機能付き椅子の実施の一形態を示す斜視図であり、図２はその側面図を示している。この椅子は、利用者を着座させる座部１と、座部１の後部側に設けられている背もたれ部２と、座部１をその下方において支持している脚部１２とを備えている。さらにこの椅子は、背もたれ部２にもたれた利用者に対してマッサージを施すことができる施療子（マッサージ具）１０と、この施療子１０を取り付けている支持部材３とを備えている。
【００１７】
施療子１０はローラ形状や玉形状のものなどがあり、複数個の施療子１０が支持部材３に取り付けられている。施療子１０は、背もたれ部２にもたれた利用者の上半身の背面側に対応する部分に設けられている。なお、上半身の背面は、座部１に座った状態にある利用者の腰部から首部までの範囲としており、また、施療子１０はこの範囲のうち部分的（１部分乃至複数部分）に対応するように設けられたものであってよい。
【００１８】
脚部１２は、鉛直方向の支持シャフト１３と、支持シャフト１３の下部から水平方向放射状に伸びる複数本の脚アーム１４を有している。脚アーム１４の先端部には車輪１４ａが取り付けられている。支持シャフト１３の上端には、座部１のベース部材１５が取り付けられている。
【００１９】
座部１は、前記ベース部材１５と、ベース部材１５に固定されている座部本体１６とを備えている。座部本体１６は座面を構成する布状部材１７とこの布状部材１７を取り付けている左右両側の座枠部材１８とを有している。図２に示しているように、座枠部材１８は前記ベース部材１５の前部から前方へ延伸してからその上方でＵ字状に折り返されて後方へ延伸するように構成されている。そして、左右両側の座枠部材１８の間に布状部材１７が設けられている。座枠部材１８は例えば金属製のパイプにより形成されている。布状部材１７は弾力性（伸縮性）のある素材（布）から構成されており、特にメッシュ状の素材が好ましい。
【００２０】
背もたれ部２は、座部１と連結されて当該座部１に支持されており、座部１に着座した利用者の上半身背面側を当接させる面状部材４と、この面状部材４を取り付けている背枠部材５を有している。背枠部材５は、例えば金属製のパイプにより形成されており、左右の側部部材５ａと両側部部材５ａを上部において連結している上部部材５ｂとを有している。図１に示している背枠部材５は、１本のパイプが曲げられることで高さ方向の両側部部材５ａと横方向の上部部材５ｂとが一続きとして構成されている。そして、面状部材４は、この背枠部材５に三方から囲まれるように取り付けられている。面状部材４は座部１の布状部材１７と同一のものとされており、弾力性（伸縮性）のある素材（布）から構成されている。さらに、この背枠部材５の側部部材５ａは、その下端部において座部１の座枠部材１８の後端部と連続するよう構成されている。また、背もたれ部２の面状部材４と座部１の布状部材１７とを、１枚の部材により構成してもよい。
【００２１】
前記支持部材３は、座部１が有しているベース部材１５の後部から後方へ延伸しながら上方へ連続している１本の金属性のパイプ部材から構成された柱部材であり、背もたれ部２の面状部材４の中央部に対応する位置に設けられている。そして、支持部材３の長手方向（高さ方向）に沿って施療子１０が上下左右に複数個取り付けられている。
【００２２】
この椅子の左右両側には肘掛け部２０が設けられており、肘掛け部２０は前後方向を長手方向としている部材により構成され、その後部において支持部材３の高さ方向途中部と固定されている。さらに肘掛け部２０の下部には当該肘掛け部２０を支持している高さ方向の支持柱部材２１が取り付けられており、支持柱部材２１の下部は座部１のベース部材１５に固定されている。この肘掛け部２０と支持柱部材２１とにより、ベース部材１５に対して支持部材３を拘束することができ、支持部材３は後方へ倒れにくくされているが、背もたれ部２の背枠部材５は肘掛け部２０などの影響を受けることがなく（拘束されることなく）後方へ倒れることができる状態とされている。
【００２３】
この椅子は、ベース部材１５に、座部１、座部１を介して背もたれ部２、支持部材３、肘掛け部２０用の支持柱部材２１が取り付けられている。これにより、これら背もたれ部２などに作用する荷重を、脚部１２と固定されているベース部材１５に伝達させることができ、安定した椅子が得られる。
【００２４】
この椅子において、背もたれ部２に負荷が作用していない状態、つまり、利用者が背もたれ部２にもたれていない状態では、図２に示しているように側面視において背もたれ部２の背枠部材５と支持部材３とは、支持部材３の長手方向に沿って相互が均一な間隔を有する形状とされている。つまり、背枠部材５と支持部材３の側面視における形状は、背もたれ部２及び支持部材３よりも所定寸法だけ後方の仮想点（仮想水平線）を中心とした（ほぼ）円弧形状とされている。そして、その仮想点を中心とした背枠部材５の半径が支持部材３の半径よりも大きくされている。
さらに、背もたれ部２と支持部材３との間において、支持部材３は施療子１０を、面状部材４の後方において当該面状部材４の背面との間で隙間ｇが形成されるように取り付けている。
【００２５】
そして、この施療子１０によりマッサージ効果を得るために、面状部材４と支持部材３とが接近可能とされて設けられている。これにより、背中が面状部材４に当接した着座状態において、面状部材４と施療子１０との間における隙間ｇが維持されている状態（第一状態）であって、当該施療子１０が背中を押圧しない非マッサージ状態（図２）と、この隙間ｇが無くなって面状部材４と施療子１０とが接触している状態（第二状態）であって、当該施療子１０が上半身の背面を押圧するマッサージ状態（図３）とに変化可能となる。
なお、背もたれ部２において、弾力性のある面状部材４は所定の張力をもって背枠部材５に張設されている。従って、背枠部材５と支持部材３との相対位置関係を変えずに、前記隙間ｇを無くすためには、面状部材４に生じている前記張力に抗する所定の押圧力を当該面状部材４に与えることが必要となる。つまり、背枠部材５と支持部材３との相対位置関係を変えずにマッサージ効果を得るためには、後に説明するが、背もたれ部２を支持部材３と共に後方へ倒した状態にすることによって、面状部材４に上半身の体重による大きな押圧力を作用させ、当該面状部材４を弾性的に変形させることが必要となる。これにより、面状部材４と施療子１０との隙間ｇを無くし、施療子１０によって背中を押圧させることができる。
【００２６】
また、この施療子１０によってマッサージ効果をより一層効果的に得るために、図２と図３に示しているように、背もたれ部２の背枠部材５は支持部材３に対して、背枠部材５が（その下部において）弾性変形することによって位置変化が可能となるように設けられている。そして、背枠部材５が後方側へ位置変化することにより、背枠部材５に取り付けられている面状部材４が、支持部材３に取り付けられている施療子１０に接近し、相互が接触する。
従って、利用者が背もたれ部２の面状部材４にもたれると、背枠部材５が弾性変形して背枠部材５全体が後方へ倒れる方向へ移動する。これにより、背枠部材５に取り付けられている面状部材４が施療子１０に当接して、施療子１０が面状部材４を介して背中を押圧することができる。
【００２７】
さらに背枠部材５と支持部材３との間には、背枠部材５と支持部材３との間隔を維持させることのできる切換手段６が設けられている。切換手段６は、例えば棒状又は枠形状に組まれた支持部材１９とされており、支持部材１９は、その一端部側が中心とされて支持部材３の上端部に回動可能に取り付けられ、他端部側が背枠部材５の一部に係合することができる係合部（図示せず）とされている。そして、図２に示しているように、支持部材３に取り付けられた支持部材１９の係合部が背枠部材５の上部に係合することで、支持部材１９が背枠部材５と支持部材３との間を支持することとなり、背枠部材５と支持部材３との相対的な位置変化を規制することができる（拘束状態）。そして、図３に示しているように、支持部材１９と背枠部材５との係合を解くことにより、背枠部材５と支持部材３との相対的な位置変化（背枠部材５の後方への倒れ）を自由にさせることができる（自由状態）。なお、この切換手段６の位置は支持部材３の上部以外に他の部位であってもよい。
【００２８】
この切換手段６により背枠部材５と支持部材３とを前記拘束状態とすれば、背もたれ部２の面状部材４と支持部材３の施療子１０との間の隙間ｇを維持させることができる。これにより、利用者が背もたれ部２にもたれても背中は施療子１０と接触しない状態、又は面状部材４が伸びて背中に施療子１０が接触しても施療子１０の存在を感じさせない程度（施療子１０による違和感を与えない程度）、つまりマッサージ効果を与えないようにできる。一方、背枠部材５と支持部材３とを前記自由状態とすれば、背もたれ部２にもたれることによって、背枠部材５が弾性変形して後方へ倒れることができ、背中は面状部材４を介して施療子１０によって強く押圧され、マッサージ効果を得ることができる。つまり、切換手段６によって拘束状態とすることによりマッサージ効果を与えない通常の椅子とすることができ、自由状態に切り換えることによりマッサージ効果を与えるマッサージ椅子とすることができる。これにより、この椅子を、日常において利用する家庭用の椅子や、長時間座ることのある事務用の椅子として利用できる。
【００２９】
また、図３に示しているように、背枠部材５が弾性変形して後方へ倒れることにより背中に施療子１０が当接し、さらに背中によって施療子１０が押されて支持部材３が弾性変形して後方へ倒れるよう構成することができる。この場合、背枠部材５の後方への弾性変形量が、支持部材３の後方への弾性変形量よりも大きい状態にあるといえる。
【００３０】
図４は本発明に係るマッサージ機能付き椅子の他の実施形態を示す背面図であり、図５と図６はその側面図である。この椅子は図２と図３に示した椅子の構成と同様であるが、この実施形態は、背もたれ部２の背枠部材５が起立状態から後方へ倒れることができるように背枠部材５を支持している第１後傾部８と、支持部材３が起立状態から後方へ倒れることができるように支持部材３を支持している第２後傾部９とを備えている。
【００３１】
この第１後傾部８は一定の曲率半径で曲げられた第１のパイプ部材２２を有しており、このパイプ部材２２は上部後方から下部前方まで湾曲している形状とされ、その下部前方部が座枠部材１８の後端部に固定されている。そして、背枠部材５の側部部材５ａの下端部に、前記パイプ部材２２と曲率半径が同一とされた第１の湾曲部２４が形成されており、この湾曲部２４がパイプ部材２２内に挿入状となって進退移動することで、背枠部材５は起立状態から後方へ倒れた状態（図６）、又は、後方へ倒れた状態から起立状態（図５）になることができる。また、このパイプ部材２２は座枠部材１８と背枠部材５の側部部材５ａとの連結部材とされているといえる。
【００３２】
前記第２後傾部９は一定の曲率半径で曲げられた第２のパイプ部材２３を有しており、このパイプ部材２３は上部後方から下部前方まで湾曲している形状とされ、その下部前方部がベース部材１５の後端部に固定されている。そして、支持部材３の下端部に、前記パイプ部材２３と曲率半径が同一とされた第２の湾曲部２５が形成されており、この湾曲部２５がパイプ部材２３内に挿入状となって進退移動することで、支持部材３は起立状態から後方へ倒れた状態（図６）、又は、後方へ倒れた状態から起立状態（図５）になることができる。またこのパイプ部材２３はベース部材１５と支持部材３との連結部材とされているといえる。
【００３３】
なお、第１のパイプ部材２２と背枠部材５の第１の湾曲部２４とにおける中心点、及び、第２のパイプ部材２３と支持部材３の第２の湾曲部２５とにおける中心点は、同一の水平線（共通水平線Ｈ）上に存在している。これにより、背もたれ部２と支持部材３は前記共通水平線Ｈを中心として回動することができ、起立状態と後方倒れ状態との間を回動することとなる。これにより、背もたれ部２に利用者がもたれて上半身を後方へ倒すことにより、背枠部材５が後方へ倒れ、背中に施療子１０が押されて支持部材３も後方へ倒れることができる。
【００３４】
支持部材３には、背枠部材５の側部部材５ａと連結させる棒状の連結部材２６が設けられている。この連結部材２６は支持部材３と背枠部材５とを連結させて両者の回動を一体的に行わせることができる。この連結部材２６は支持部材３の高さ方向途中部から左右両側へそれぞれ伸びてかつ前方へ延伸して背枠部材５の側部部材５ａに連結されている。なお、背枠部材５と支持部材３との間にこの連結部材２６が介在しているが、連結部材２６を弾性変形可能とすることにより、側面視において背枠部材５が支持部材３に対して接近する方向に移動することができる。さらに、背もたれ部２の面状部材４が弾性変形可能な（伸縮可能な）素材とされていることにより、面状部材４に利用者がもたれて背もたれ部２と支持部材３とが後方へ倒れた状態となり、面状部材４に大きな荷重（上半身の体重）が作用することによって当該面状部材４を弾性的に変形させることができ、面状部材４と施療子１０との隙間ｇを無くし、施療子１０によって背中を押圧させることができる。
【００３５】
また、第２後傾部９の第２パイプ部材２３内にはコイルバネからなる弾性部材１１が設けられており、その一端部はパイプ部材２３内に固定されており、他端部は支持部材３の第２湾曲部２５の下端面に当接している。従って、支持部材３が後方へ倒れることにより、湾曲部２５がパイプ部材２３内をベース部材１５側へ弾性部材１１の弾性力に抗して前進することとなり、弾性部材１１は圧縮される。支持部材３が後方へ倒れた状態（図６）になると、弾性部材１１は、その復元する力によって、支持部材３を起立状態に復帰させることができる。そして、前記連結部材２６により支持部材３と背枠部材５とを連結している場合は、弾性部材１１によるこの支持部材３の復帰動作に伴って、背枠部材５が起立状態に復帰できる。これにより、利用者が背もたれ部２にもたれて後方へ倒れた状態から、背もたれ部２が起立した状態である通常の着座姿勢に楽に戻ることができる。さらに、この弾性部材１１におけるバネ定数の大小を調整することにより、背もたれ部２を後方へ倒す際の抗力の強弱を変化させることもできる。
【００３６】
支持部材３は第２後傾部９によって、背もたれ部２と共に後方へ倒れることができるようにされているが、この椅子は、支持部材３を起立状態に維持させるロック機構７を備えている。つまり、ロック機構７の切換操作により、背もたれ部２と支持部材３を後方へ倒すことができたり、起立状態に維持させたりできる。ロック機構７は、座部１のベース部材１５に取り付けられており、座った状態で容易に操作を行うことができる。
ベース部材１５に取り付けられているロック機構７は、肘掛け部材２０用の支持柱部材２１と、肘掛け部材２０とを介して、この肘掛け部材２０と固定されている支持部材３が後方へ倒れるのを規制することができるように構成されている。つまり、支持部材３は前記共通水平線Ｈを中心として回動するため、支持部材３に固定されている肘掛け部材２０とこれに固定されている支持柱部材２１についてもこの共通水平線Ｈ回りに回動することとなる。そこで、ロック機構７は、この支持柱部材２１の下端部における回動を拘束することによって、支持部材３が回動するのを規制している。
【００３７】
図５〜図７により具体的に説明すると、ロック機構７は、操作レバー２７と、操作レバー２７に応じて変位（回動）する係止部材２８とを備えており、係止部材２８が支持柱部材２１の下端部に形成された当接部２９に当接することで当該当接部２９の回動を規制することができ、係止部材２８と当接部２９とが離間することで当該当接部２９の回動を許容する。従って、ロック機構７の操作レバー２７の切換操作により支持部材３を起立状態に拘束したり、後方へ倒れさせたりすることができる。これにより、背もたれ部２を起立状態に維持させたり、後方へ大きく倒れさせたりすることができる。
【００３８】
なお、このように肘掛け部２０の後部を支持部材３に固定することで、前記ロック機構７により支持部材３が後方へ倒れるのを規制することができる形態について説明したが、図示しないが、肘掛け部２０の後部を背もたれ部２の背枠部材５に固定して、ロック機構７により背もたれ部２が倒れるのを規制することができるように構成してもよい。また、ロック機構７は座部１以外の部位に設けてもよい。
【００３９】
施療子１０の取り付け構造について説明すると、図４〜図６に示しているように、支持部材３にはブロック体３０が取り付けられており、ブロック体３０は支持部材３の長手方向に沿って移動可能でかつ任意の位置に固定される。つまり、ブロック体３０は、例えば、本体部３０ａと、この本体部３０ａと支持部材３とを固定状態とさせる雄ネジ部材３０ｂとを有している。この雄ネジ部材３０ｂを本体部３０ａに挿通させて支持部材３に形成した雌ネジ孔（図示せず）に螺合させることで、本体部３０ａを支持部材３に固定することができる。そして、ブロック体３０の本体部３０ａに、棒状の連結部材を介して施療子１０が取り付けられている。これにより、施療子１０は支持部材３の長手方向に沿って位置変更可能となる。さらに、施療子１０（前記連結部材）はブロック体３０に対して回動可能に取り付けられており、背中の形状や背中からの荷重の大小に追従できる。また、施療子１０が面状部材４側に接近又は離間する方向に位置調整可能に取り付けられていてもよい。
【００４０】
また、施療子１０は支持部材３においてその上端部を含む複数箇所に取り付けられている。図４においては、上半身の背面側の左右両側部、上部、及び、下部に対応するよう４箇所に設けられており、さらにこれら各部において複数個（２個又は４個）の施療子１０が設けられている。背中の左右両側部及び下部に対応する施療子１０は、支持部材３の高さ方向途中部において前記ブロック体３０により取り付けられているが、支持部材３の上端部に設けられた施療子１０は、回動アーム部材３１により回動可能に取り付けられている。そして、この上端部の施療子１０は任意の角度で保持させることができる。
【００４１】
このように、施療子１０の位置を調整することができることにより、施療子１０を接触させたい部位の変更が可能となり、また、身長差によるツボの位置の違いに対応させることができる。特に上端部の前記施療子１０によれば、その角度を調整することにより、様々な身長の利用者に対して、当該施療子１０を首部から肩部に対応させることができる。また、施療子１０の位置調整は手動によるもの以外に電動によるものであってもよい。さらに図示しないが、施療子１０を座部１においても取り付けてよい。
【００４２】
また、本発明のマッサージ機能付き椅子は、図示する形態に限らずこの発明の範囲内において他の形態のものであっても良く、例えば、前記第１と第２の後傾部８，９を、図５と図６のようにパイプ部材２２，２３により構成する以外にも、弾性変形部とすることができる。つまり、背枠部材５と支持部材３とのそれぞれに弾性変形部を備えさせ、この弾性変形部を弾性変形させることによって後方へ倒れるように構成してもよい。つまり、図２と図３に示している椅子において、背枠部材５と支持部材３とをそれぞれ弾性変形させて両者を後方へ倒れさせている。なお、この場合、背枠部材５と支持部材３のそれぞれの全体を弾性変形部として全体的に弾性変形させてもよく、または、弾性変形部を一部（例えば下部のみ）としてもよい。
【００４３】
また、本発明の椅子は、背もたれ部２の面状部材４と支持部材３とが相対的に接近可能とされていればよく、図示しないが、支持部材３が背もたれ部２（面状部材４）に対して接近可能となるように構成してもよい。つまり支持部材３の下部における水平部がベース部材１５内を前後移動可能とされており、支持部材３が前方へ移動して施療子１０と面状部材４とが接近、接触するようにしてもよい。
【図面の簡単な説明】
【００４４】
【図１】本発明に係るマッサージ機能付き椅子の実施の一形態を示す斜視図である。
【図２】マッサージ機能付き椅子を示す側面図であり、非マッサージ状態を示している。
【図３】マッサージ機能付き椅子を示す側面図であり、マッサージ状態を示している。
【図４】マッサージ機能付き椅子の他の実施形態を示している背面図である。
【図５】図４のマッサージ機能付き椅子の側面図であり、非マッサージ状態を示している。
【図６】図４のマッサージ機能付き椅子の側面図であり、マッサージ状態を示している。
【図７】ロック機構を説明する説明図である。
【符号の説明】
【００４５】
１  座部
２  背もたれ部
３  支持部材
４  面状部材
５  背枠部材
６  切換手段
７  ロック機構
８  第１後傾部
９  第２後傾部
１０  施療子
１１  弾性部材
ｇ  隙間
【図１】
2006296960.tif 000003
【図２】
2006296960.tif 000004
【図３】
2006296960.tif 000005
【図４】
2006296960.tif 000006
【図５】
2006296960.tif 000007
【図６】
2006296960.tif 000008
【図７】
2006296960.tif 000009